(57)【要約】      （修正有）【課題】搬送時の損傷を防止し得る住宅用分電盤を提供する。【解決手段】遮断器３を内蔵したケース１と、ケース１に取着されるベース部材５と、ベース部材５及びケース１の開口部を閉鎖可能とした蓋体４とを備えた住宅用分電盤において、ベース部材５の周縁部１０の厚さを、該ベース部材５に設けた、蓋体４との間で遮断器の開閉レバーの回動動作を許容する空間を確保するための収容凹部２１における背面側凸部２２の厚さ以上とし、凸部２２の高さを、周縁部１０よりベース部材５の厚さ方向に低くした。【選択図】図６
2016140146.tif 000002
【特許請求の範囲】
【請求項１】
遮断器を内蔵したケースと、
前記ケースに取着されるベース部材と、
前記ベース部材及び前記ケースの開口部を閉鎖可能とした蓋体と
を備えた住宅用分電盤において、
前記ベース部材の周縁部の厚さを、該ベース部材の中央部の厚さ以上としたことを特徴とする住宅用分電盤。
【請求項２】
請求項１に記載の住宅用分電盤において、
前記ベース部材の中央部に前記遮断器の開閉レバーを露出させる開口部と、前記蓋体との間で前記開閉レバーの回動動作を許容する空間を確保するための収容凹部を設け、前記収容凹部の背面側の凸部の高さを、前記周縁部より前記ベース部材の厚さ方向に低くしたことを特徴とする住宅用分電盤。
【請求項３】
請求項２に記載の住宅用分電盤において、
前記ベース部材の周縁部を前記ケースの外面に沿って屈曲したことを特徴とする住宅用分電盤。
【発明の詳細な説明】
【技術分野】
【０００１】
本発明は、一般家庭用の住宅用分電盤に関するものである。
【背景技術】
【０００２】
一般家庭で使用される分電盤は、取付面に固定されるケース内に主幹回路遮断器及び分岐回路遮断器が収容され、その主幹回路遮断器及び分岐回路遮断器の開閉レバーがケースの全面に露出される。そして、常にはケース前面が合成樹脂で成形された蓋部材により覆われて、各遮断器が居住者の視界から遮られる。
【０００３】
特許文献１には、上記のような住宅用分電盤が開示されている。
【先行技術文献】
【特許文献】
【０００４】
【特許文献１】特許第３６５１３３５号公報
【発明の概要】
【発明が解決しようとする課題】
【０００５】
上記のような分電盤では、搬送時に蓋部材が積層された状態で梱包される。従って、搬送時に、積層された蓋部材の重量による蓋部材自身の損傷を防止する必要がある。
特許文献１に開示された住宅用分電盤には、搬送時における扉体の損傷を防止するための構成は開示されていない。
【０００６】
この発明はこのような事情に鑑みてなされたものであり、その目的は搬送時の損傷を防止し得る住宅用分電盤を提供することにある。
【課題を解決するための手段】
【０００７】
上記課題を解決する住宅用分電盤は、遮断器を内蔵したケースと、前記ケースに取着されるベース部材と、前記ベース部材及び前記ケースの開口部を閉鎖可能とした蓋体とを備えた住宅用分電盤において、前記ベース部材の周縁部の厚さを、該ベース部材の中央部の厚さ以上としたことを特徴とする。
【発明の効果】
【０００８】
本発明の住宅用分電盤によれば、搬送時の損傷を防止することができる。
【図面の簡単な説明】
【０００９】
【図１】一実施形態の住宅用分電盤を示す斜視図である。
【図２】蓋体を開いた状態を示す斜視図である。
【図３】蓋体を開いた状態の縦断面を示す斜視図である。
【図４】分電盤の横断面図である。
【図５】指掛け部を示す縦断面図である。
【図６】ベース部材の凸部を示す断面図である。
【図７】ベース部材と蓋体の背面を示す分解斜視図である。
【発明を実施するための形態】
【００１０】
以下、住宅用分電盤の一実施形態を図面に従って説明する。図１及び図２に示す分電盤は、ケース１内に、主幹回路遮断器２と、多数の分岐回路遮断器３が一列に並設された状態で収容されている。
【００１１】
直方体状のケース１の前面には、蓋体４とベース部材５とからなる蓋部材６が取着されている。ベース部材５は、合成樹脂でケース１の全面を覆う長方形状に形成されている。そして、中央部に主幹回路遮断器２及び分岐回路遮断器３の開閉レバー７を露出させるための開口部８が設けられ、その開口部８の両側部でネジ９によりケース１に固定されている。
【００１２】
また、ベース部材５の周囲には、ケース１の外面に沿う方向に屈曲された周縁部１０が形成されている。そして、図４に示すように、ケース１を壁面等に設けられた取付部１１内に収容するとき、周縁部１０が取付部１１の周囲の取付面１２に当接するようになっている。
【００１３】
蓋体４は、ベース部材５の全面を覆い得る面積を備えた長方形状の部材として合成樹脂で成形されている。蓋体４とベース部材５の上縁部には蝶番部１３が形成され、その蝶番部１３を回動支点として蓋体４を上方へ跳ね上げ可能となっている。
【００１４】
蓋体４の周囲には、ベース部材５の周縁部１０に沿って延びる被覆部１４が蝶番部１３と後記指掛け部１５を除くほぼ全周に亘って形成されている。そして、図４に示すように、蓋体４を閉じた状態では、ベース部材５の上縁部を除いて蓋体４の被覆部１４がベース部材５の周縁部１０に密接するようになっている。
【００１５】
図３及び図５に示すように、蓋体４の下縁中央部には指掛け部１５が形成されている。この指掛け部１５は、被覆部１４を内側へ若干凹ませて形成された係止片１６と、係止片１６を形成したことにより、蓋体４の前面に連なって係止片１６の基端から下方へ延びる指掛け片１７とで構成される。
【００１６】
ベース部材５の周縁部１０には、指掛け部１５に対向する位置に凹部１８が形成されている。そして、図５に示すように、蓋体４を閉じた状態では凹部１８に指先を挿入して指掛け片１７を引くことにより、蓋体４を回動操作可能となっている。
【００１７】
係止片１６の背面（蓋体４を閉じた状態では上面）には係止凸部１９が形成され、ベース部材５の周縁部１０には、係止凸部１９に対向する位置に係止孔２０が形成されている。そして、蓋体４を閉じた状態では、係止凸部１９が係止孔２０に弾性的に係合して、蓋体４が閉じた状態に保持される。
【００１８】
図３に示すように、ベース部材５の前面において開口部８の上下には、ベース部材５の周囲部分より段差を介して凹む収容凹部２１が形成されている。そして、蓋体４を閉じた状態でも主幹回路遮断器２及び分岐回路遮断器３の開閉レバー７の回動に支障を来さない空間が確保されている。
【００１９】
図７に示すように、ベース部材５の背面には、収容凹部２１を形成するために背面側に突出する凸部２２が形成されている。図６に示すように、その凸部２２のベース部材５の前面からの高さは、ベース部材５の周縁部１０の高さより低く形成され、その高低差ｈが確保されている。言い換えれば、ベース部材５の周縁部１０の厚さは、ベース部材５の周縁部１０以外の厚さより厚く形成されている。
【００２０】
次に、上記のように構成された住宅用分電盤の作用を説明する。
図１に示すように、蓋体４を閉じた状態では、ベース部材５は蓋体４でほぼ覆われる。従って、ケース１を壁面等の取付部１１の内側に没入させるように取付けると、室内にはほぼ蓋体４のみが露出されるので、室内の美観を低下させることはない。
【００２１】
ベース部材５の周縁部１０は、取付部１１の周囲の取付面１２に密着した状態で取着され、蓋体４の被覆部１４はベース部材５の周縁部１０に密接する状態で保持される。
従って、分電盤が取着される屋内と分電盤のケース１内とは、ベース部材５と蓋体４でほぼ封止されるので、蟻等の小さな昆虫や、塵、埃等のケース１内への侵入が阻止される。
【００２２】
開閉レバー７を操作するために蓋体４を開くときには、蓋体４の下縁中央部の指掛け片１７に指を掛けて手前に引けば、蝶番部１３を回動支点として蓋体４を回動させることにより、蓋体４を開くことが可能である。
【００２３】
分電盤の搬送時には、蓋部材６は蓋体４とベース部材５が積層された状態で梱包される。このとき、ベース部材５の背面側中央の凸部２２は、周縁部１０より高低差ｈで低くなっているので、梱包時に積層された蓋部材６の重量が凸部２２のみにかかることはない。従って、梱包及び搬送時における凸部２２の損傷が防止される。
【００２４】
上記のような住宅用分電盤では、次に示す効果を得ることができる。
（１)ベース部材５の中央の凸部２２は、周縁部１０より高低差ｈで低く形成されているので、梱包時に蓋部材６が積層されて梱包されても、積層された蓋部材６の重量は周縁部１０及び被覆部１４で受けることになる。従って、凸部２２には積層された蓋部材６の重量は作用しないので、凸部２２の損傷を未然に防止することができる。
（２）ベース部材５及び蓋体４に、周縁部１０と被覆部１４を設けたので、ベース部材５と蓋体４の機械的強度を向上させることができる。
【００２５】
上記実施形態は、以下のように変更してもよい。
・凸部２２と周縁部１０との高低差ｈを０としてもよい。
上記実施形態から把握できる技術的思想を以下に述べる。
（付記１）
遮断器を内蔵したケースと、
前記ケースに取着されるベース部材と、
前記ベース部材及び前記ケースの開口部を閉鎖可能とした蓋体と
を備えた住宅用分電盤において、
前記ベース部材の周縁部の厚さを、該ベース部材の中央部の厚さ以上としたことを特徴とする住宅用分電盤。
（付記２）
付記１に記載の住宅用分電盤において、
前記ベース部材の中央部に前記遮断器の開閉レバーを露出させる開口部と、前記蓋体との間で前記開閉レバーの回動動作を許容する空間を確保するための収容凹部を設け、前記収容凹部の背面側の凸部の高さを、前記周縁部より前記ベース部材の厚さ方向に低くしたことを特徴とする住宅用分電盤。
（付記３）
付記２に記載の住宅用分電盤において、
前記ベース部材の周縁部を前記ケースの外面に沿って屈曲したことを特徴とする住宅用分電盤。
（付記４）
付記３に記載の住宅用分電盤において、
前記蓋体を前記ベース部材に蝶番部で回動可能に支持したことを特徴とする住宅用分電盤。
（付記５）
付記３に記載の住宅用分電盤において、
前記蓋体及びベース部材を合成樹脂で成形したことを特徴とする住宅用分電盤。
【符号の説明】
【００２６】
１…ケース、２，３…遮断器、４…蓋体、５…ベース部材、１０…周縁部、１３…蝶番部、１４…被覆部、２１…収容凹部、２２…凸部。
【図１】
2016140146.tif 000003
【図２】
2016140146.tif 000004
【図３】
2016140146.tif 000005
【図４】
2016140146.tif 000006
【図５】
2016140146.tif 000007
【図６】
2016140146.tif 000008
【図７】
2016140146.tif 000009